(57)【要約】【課題】本発明は、マスクの使用方法等の表示を効率よく使用者またはその周囲の人に認識させるマスクを提供することにある。【解決手段】上記目的を達成するために、本発明は、マスクの最外層もしくは内層に表示を付けたマスクを提供する。さらには、予め表示が印刷された布をマスクの最外層もしくは内層に付けたマスクを提供する。【選択図】図１
2010188103.tif 000002
【特許請求の範囲】
【請求項１】
表示が付けられたことを特徴とするマスク。
【請求項２】
請求項１において、表示がマスクの最外層に付けられたことを特徴とするマスク。
【請求項３】
請求項１において、表示がマスクの内側である事を特徴とするマスク。
【請求項４】
請求項１において、表示を視認できる事を特徴とするマスク。
【請求項５】
請求項１において、表示された布を予め製造されたマスクに付けることを特徴とするマスク。
【請求項６】
請求項５において、表示された布を予め製造されたマスクの多層構造の間にあることを特徴とするマスク。
【請求項７】
マスクを包装した際に、表示が見えないことを特徴とする請求項１ないし請求項５に記載のマスク。
【発明の詳細な説明】
【技術分野】
【０００１】  本発明は、マスクに関し、特に、表示が付けられたマスクに関する。特に、マスクへの表示の付け方に関する。
【背景技術】
【０００２】  近年、新型インフルエンザ、花粉症対策で、マスクを使用することが多くなったが、マスクの使用方法、注意書きなどの表示をできるだけ効率よく、使用者またはその周囲の人に認識して貰えば、有意義である。しかしながら、今まではその方法を強く考究してこなかった。上記の使用方法、注意書きなどの表示は、従来、マスクの包装の中に入れられることはあっても、それら表示がマスクに直接付けられていないために使用の最初に確認されることはあっても、注視されることが無いことや途中で紛失してしまうことが多く、決して最も有効とは思われない。
従来のマスクは一般的に無地である。偶に、絵柄をいれたりするものを見るが、通常、清潔感を与えるために、白色である。【０００３】  例えば、下記特許文献１には、マスクに絵柄を記載するものであるが、『使用方法、注意書きなどの表示をできるだけ効率よく』表示を目的とする本発明と異なり、マスクの装着を方法に関する目安を示すものであり、マスクを開いたときに一目瞭然の構造と異なるものである。
【先行技術文献】
【特許文献】
【０００４】
【特許文献１】  特開２００８−２３７８５０号公報
【発明の概要】
【発明が解決しようとする課題】
【０００５】  マスクの使用方法、注意書きなどの表示をできるだけ効率よく、使用者またはその周囲の人に認識してもらうことは、新型インフルエンザ、花粉、埃、煤塵、ナノ粒子など種々の脅威源が存在する状況においては非常に重要なことであり、意味深いものである。しかしながら、上記の表示は、付けられていなかったり、マスクをいれてある容器、袋に記載または印刷された紙片が入れられていたりするに過ぎず、効率よく眼に触れる形態をとっていないのが実情である。【０００６】  本発明は、上記従来の課題に鑑みなされたものであり、その目的は、表示を効率よく使用者またはその周囲の人に認識させるマスクを提供することにある。
【課題を解決するための手段】
【０００７】  上記目的を達成するために、請求項１記載のマスクの発明は、表示をマスクに付けることを特徴とする。【０００８】  請求項２記載のマスクの発明は、表示がマスクの最外層に付けられたことを特徴とする。【０００９】  請求項３記載のマスクの発明は、表示がマスクの内側である事を特徴とする。【００１０】  請求項４記載のマスクの発明は、請求項１において、表示を視認できる事を特徴とする。【００１１】  請求項５記載のマスクの発明は、請求項１において、表示された布を予め製造されたマスクに付けることを特徴とする。【００１２】  請求項６記載のマスクの発明は、請求項５において、表示された布を予め製造されたマスクの多層構造の間にあることを特徴とする。【００１３】  請求項７記載のマスクの発明は、マスクを包装した際に、表示が見えないことを特徴とする請求項１ないし請求項５に記載のマスク。
【発明の効果】
【００１４】  本発明によれば、表示を効率よく使用者またはその周囲の人に認識させるマスクを提供することができる。
【図面の簡単な説明】
【００１５】
【図１】本発明のマスクを示す外観図
【図２】本発明のマスクの層構造を模式的に示す図
【発明を実施するための形態】
【００１６】  以下、本発明を実施するための形態（以下、実施形態という）を説明する。
【００１７】  本実施形態にかかるマスク材料は、通常に使用されているものである。即ち、木綿、ＰＥＴ、ナイロン、アクリル、ポリオレフィンの繊維またはそれらの複合繊維から成る紗、織布、ニット、不織布、多孔紙、ガーゼなどを使用することができる。このような、通常のマスクの素材に、一般的な印刷やプリント技術を用いて表示を付け、その物をマスクの素材として使用する。印刷、プリントされるものについては、文字、絵柄、写真など、日常的に見かけるものである。
【００１８】  このようにして得られた表示がついたマスクの素材を用いて、マスクを製造するのであるが、表示を視認できる事が重要であるため。最表面に持ってくることが重要であるが、印刷、プリントされた物が直接肌に触れるのを嫌う場合があり、その際には、印刷、プリントされた物の上に、一層以上の紗、織布、ニット、不織布、多孔紙などを使用する事が望ましい。その場合も、表示が、視認できないと目的を達成しないので、視認できるように、目の粗さ、糸の太さ、織布、ニット、不織布などの厚さを制御する事が重要である。
【００１９】  表示に使用するインクは、水系でない事が重要である。特に、プリンターを使用して簡便に製造する際には、油性インクを使用する事が望ましい。または、顔料系のインクが望ましい。
【００２０】  大量に同一のマスクを製造するには、印刷、プリントされた物を使用してマスクを製造すれば良いが、少量の表示付きマスクを製造するには、マスクの多層構造の間に、表示をつけた素材を挟む事で目的を達成し、大変好ましいものである。更に、多層構造の間に、表示を付ける際に開いた層は表示を入れた後、何らかの方法で閉じられることが望まれる。さもないと、多層構造を通して呼気、外気が流通すべき所が、そうならない可能性があるからである。その方法は、縫製、シール、折り返しなど幾つかの方法から選択することができる。
【００２１】  このようにして得られた表示付きのマスクは、何個かをまとめて包装する事も、一個ずつの個包装にしても良い。
【００２２】  このようにして得られた表示付きのマスクは、街頭、店頭などで販売促進用のコピー付き製品として扱う事もできる。その際には、表示が使用時に外側から視認できるように付けられる事が好ましい。
【００２３】  また、販売促進用に配布した場合、個包装から取り出し、装着をするために、マスクを開いた際に、内側から表示が飛び込む事は、印象的であり、宣伝効果が高く、優れている。
【００２４】  表示を使用者に印象つけるには、サプライズ効果が重要であり、表示を内側に隠すようにマスクを畳み事が好ましい。通常のマスクであれば、二つ折りまたは三つ折りすれば良い。
【００２５】  鼻部分に、金具などの固定器具が付けられたものは、その部分を避けるように、上下で畳み、更に、左右を折り、三つ折りにすることが好ましい。
【００２６】  予め、マスクを構成し、しかる後に多層のマスクの間に表示された織布、ニット、不織布、多孔材料などを入れる場合には、マスク上部が閉じられることなくポケット状態にし、表示された紗、織布、ニット、不織布、多孔材料に抗菌性、吸着性、孔サイズの調節などの機能を持たせることにより、使用目的に応じたマスクを提供できる利便性がある。
【００２７】  表示する内容は、任意にできるが、一般的には、材料、マスクの品質、性能に関わるものであるが、場合によっては、宣伝、広告であってもよく、スポンサー付きマスクであっても良い。更には、アニメーションなど娯楽性のあるもの、おみくじ、占いなどであっても良い。夫々に応じて、マスクの折り畳み方を選定することができる。特に、意外性を出す場合には、表示が開かれるまで、分からないのが良く、おみくじ、占いなども表示が開かれるまで、分からないのが良い。
【実施例】
【００２８】  以下、上記実施形態の具体例を実施例として説明する。【００２９】  〔実施例１〕
図２に示すように、直接肌に表示がつかないようにするために、マスクの最内面ガーゼとフィルター層との間に予め表示を印刷した極小メッシュサイズの不織布を存在させる。
〔実施例２〕
図１に示した構造において、表示を最表面外層にする事により、宣伝効果を高めるために、予め表示を印刷したガーゼを外層最表面に使用してマスクを製造した。
〔参考例１〕
実施例１、２で得た表示つきマスクは、夫々、５０枚一組の箱に入れて製品とした。
〔参考例２〕
実施例１、２で得た表示つきマスクは、夫々、印刷されたポケットティッシュ大の大きさの小包装袋に入れて、街頭で宣伝用に配布した。
〔比較例１〕
実施例１において、表示をいれない以外は同じように製造し、表示を付けた紙片を参考例１に示した箱の中に入れた。このようにして表示を示したものは、箱の中に入れられたままで、見られることは無かった。
〔比較例２〕
実施例２において、表示を入れない以外は同じように製造し、表示を付けた紙片を参考例２に示した小包装袋に入れた。このようにした表示は、見られることなく、マスクのみを装着した後、廃棄された。【００３０】  以上の結果より、本発明の実施例１、２は比較例１、２に対して、表示を効率よく使用者またはその周囲の人に認識させるマスクであることがわかる。
【符号の説明】
【００３１】１  マスク
２  最内面ガーゼ
３  フィルター層
４  最表面外層
５  係止紐
６  表示が印刷された不織布
【図１】
2010188103.tif 000003
【図２】
2010188103.tif 000004